(57)【特許請求の範囲】
【請求項１】
法面を舗装するための法面施工装置であって、
前記法面の上端部に沿って、前記法面の長手方向に移動可能な上側走行手段と、
前記法面の下端部に沿って、前記法面の長手方向に移動可能な下側走行手段と、
前記上側走行手段及び前記下側走行手段に支持されており、前記法面上に供給された舗装材を、前記法面の長手方向に向かって敷き均す敷き均し手段を有する本体部と、を備え、
前記上側走行手段及び前記下側走行手段は、それぞれ単独で前記本体部に対して走行方向の前後に移設自在に取り付けられていることを特徴とする法面施工装置。
【請求項２】
前記上側走行手段及び前記下側走行手段は、前方の走行手段と後方の走行手段を備えており、
前記前方の走行手段が、前記本体部に対して走行方向の前後に移設自在であることを特徴とする請求項１に記載の法面施工装置。
【請求項３】
前記上側走行手段及び前記下側走行手段には、駆動手段がそれぞれ設けられていることを特徴とする請求項１または請求項２に記載の法面施工装置。
【発明の詳細な説明】
【技術分野】
【０００１】
本発明は、法面を舗装するための法面施工装置に関する。
【背景技術】
【０００２】
ダムや貯水池等の法面をアスファルト等の舗装材によって舗装するための法面施工装置としては、法面の上端部に沿って、法面の長手方向に移動可能な上側走行手段と、法面の下端部に沿って、法面の長手方向に移動可能な下側走行手段と、上側走行手段及び下側走行手段の間に架設されたガータと、ガータに案内されて法面の上下方向に移動可能であり、法面上に供給された舗装材を、法面の上下方向に向かって敷き均す敷き均し手段と、を備えている法面施工装置がある（例えば、特許文献１参照）。
【０００３】
この従来の法面施工装置では、敷き均し手段をガータに沿って法面の上下方向に移動させることにより、法面上に供給された舗装材を、法面の上下方向に向かって敷き均すことができる。そして、一区間の舗装を完了した後に、上側走行手段及び下側走行手段によって、ガータ及び敷き均し手段を法面の長手方向に移動させることにより、隣接する区間を順次に舗装することができる。
【０００４】
このような従来の法面施工装置では、敷き均し手段を法面の上下方向に移動させるために、敷き均し手段を引っ張るクレーン車やアンカー車を設置する必要がないため、施工コストを削減することができる。
【０００５】
【特許文献１】特開２００２−１４６７５２号公報（段落００５０〜００５１、図１）
【発明の開示】
【発明が解決しようとする課題】
【０００６】
しかしながら、前記した従来の法面施工装置では、装置全体を法面の長手方向に順次に移設し、その度に敷き均し手段を法面の上下方向に移動させているため、法面の上下方向の距離が短く、一回の移設で舗装される面積が少ない場合には、施工効率が低くなってしまう。
【０００７】
そこで、敷き均し手段の作業面を法面の長手方向に延長して、一回に舗装可能な面積を広げることが望ましいが、法面が水平方向に湾曲しており、その曲率が小さい場合には、法面の長手方向に幅広な作業面が曲面に沿わなくなり、作業面が部分的に浮いてしまうため、曲面の舗装作業が煩雑になってしまうという問題がある。
【０００８】
本発明では、法面を長手方向に連続して舗装することができ、施工効率を向上させることができるとともに、水平方向に湾曲している法面の曲率が小さい場合であっても、曲面を容易に舗装することができる法面施工装置を提供することを課題とする。
【課題を解決するための手段】
【０００９】
前記課題を解決するため、本発明は、法面を舗装するための法面施工装置であって、法面の上端部に沿って、法面の長手方向に移動可能な上側走行手段と、法面の下端部に沿って、法面の長手方向に移動可能な下側走行手段と、上側走行手段及び下側走行手段に支持されており、法面上に供給された舗装材を、法面の長手方向に向かって敷き均す敷き均し手段を有する本体部と、を備え、上側走行手段及び下側走行手段は、それぞれ単独で本体部に対して走行方向の前後に移設自在に取り付けられていることを特徴としている。
【００１０】
この構成によれば、法面の長手方向に向かって舗装材を敷き均す敷き均し手段を有する本体部を、上側走行手段及び下側走行手段によって、法面の長手方向に移動させることができるため、法面を長手方向に連続して舗装することができ、施工効率を向上させることができる。
【００１１】
また、敷き均し手段は、法面の長手方向に向かって舗装材を敷き均すように構成されており、その作業面は法面の上下方向に幅広となり、法面の長手方向には幅狭となる。これにより、水平方向に湾曲している法面を舗装するときに、法面の曲率が小さくても、敷き均し手段の作業面全体を曲面に沿わせることができるため、曲面を容易に舗装することができる。
【００１３】
また、水平方向に湾曲している法面の曲面に沿って、法面施工装置を水平方向に旋回させるときに、走行手段を走行方向の前後に移設して、旋回方向の内側となる走行手段を、外側の走行手段に対して後方にずらすことにより、法面施工装置の最小旋回半径を小さくすることができる。これにより、法面の曲率が小さい場合であっても、法面施工装置を曲面に沿ってスムースに旋回させることができる。
また、上側走行手段及び下側走行手段に、前方の走行手段と後方の走行手段を設け、前方の走行手段を本体部に対して走行方向の前後に移設自在に構成してもよい。
【００１４】
前記した法面施工装置において、上側走行手段及び下側走行手段には、駆動手段がそれぞれ設けられているように構成することができる。
【００１５】
このように、上側走行手段及び下側走行手段に駆動手段をそれぞれ設けることにより、各走行手段を独立して走行させることができる。これにより、所定の走行手段を走行方向の前後に移設するときに、その走行手段を単独で走行させて移動させることができるため、走行手段を容易に移設することができる。
【発明の効果】
【００１６】
本発明によれば、法面の長手方向に向かって舗装材を敷き均す敷き均し手段を有する本体部を、法面の長手方向に移動させることができるため、法面を長手方向に連続して舗装することができ、施工効率を向上させることができる。
また、敷き均し手段の作業面は、法面の上下方向に幅広となり、法面の長手方向には幅狭となることから、水平方向に湾曲している法面を舗装するときに、法面の曲率が小さくても、敷き均し手段の作業面を曲面に沿わせることができるため、曲面を容易に舗装することができる。
【発明を実施するための最良の形態】
【００１７】
次に、本発明の実施形態について、適宜図面を参照しながら詳細に説明する。
図１は、本実施形態の法面施工装置を示した平面図である。図２は、本実施形態の法面施工装置を示した後方側面図である。図３は、本実施形態の法面施工装置を示した図で、下側走行手段の右側面図である。
なお、以下の説明において、前後左右方向とは、図１に示す前後左右方向に対応している。また、走行方向とは、図１に示す走行方向に対応しており、法面施工装置は前方に向かって走行するように設定されている。
さらに、各図に示した法面施工装置は、その構成を分かり易くするために、適宜に省略して示されている。
【００１８】
［法面施工装置の構成］
法面施工装置１は、図１及び図２に示すように、法面Ｎの上端部Ｎａに沿って、法面Ｎの長手方向の前方に移動可能な二基の上側走行手段１０ａ，１０ｂと、法面Ｎの下端部Ｎｂに沿って、法面Ｎの長手方向の前方に移動可能な二基の下側走行手段２０ａ，２０ｂと、上側走行手段１０ａ，１０ｂ及び下側走行手段２０ａ，２０ｂに支持されており、法面Ｎ上に供給された舗装材を、法面Ｎの長手方向に向かって敷き均す敷き均し手段４０を有する本体部３０と、を備えている。
【００１９】
（上側走行手段の構成）
上側走行手段１０ａ，１０ｂは、図１及び図２に示すように、本体部３０の左側部を支持しており、前方の上側走行手段１０ａと、後方の上側走行手段１０ｂとが前後方向に間隔を離して配置されている。
各上側走行手段１０ａ，１０ｂには、図示しない駆動手段がそれぞれ設けられており、駆動手段によって下端部の履帯１１を回転駆動させることにより、各上側走行手段１０ａ，１０ｂは独立して走行可能となっている。なお、駆動手段の構成は限定されるものではなく、例えば、電動式モータや油圧式モータを用いることができる。
【００２０】
また、履帯１１の上部には支柱１２が立設されており、この支柱１２の上部は、後記する本体部３０の左側枠材３１ａに取り付けられている。具体的には、前方の上側走行手段１０ａの支柱１２は、左側枠材３１ａの前部に取り付けられ、後方の上側走行手段１０ｂの支柱１２は、左側枠材３１ａの後端部に取り付けられている。
さらに、前方の上側走行手段１０ａの支柱１２は、左側枠材３１ａに外嵌されたスライドブラケット１３を介して、左側枠材３１ａに取り付けられている。これにより、前方の上側走行手段１０ａは、左側枠材３１ａに対して前後方向にスライド可能となっており、前方の上側走行手段１０ａを走行方向の前後に移設自在となっている。
【００２１】
（下側走行手段の構成）
下側走行手段２０ａ，２０ｂは、図１、図２及び図３に示すように、本体部３０の右側部を支持しており、前方の下側走行手段２０ａと、後方の下側走行手段２０ｂとが前後方向に間隔を離して配置されている。なお、下側走行手段２０ａ，２０ｂは、前記した上側走行手段１０ａ，１０ｂと略同様の構成であるため、詳細な説明は省略する。
各下側走行手段２０ａ，２０ｂは、図示しない駆動手段によって履帯２１を回転駆動させることにより、それぞれ独立して走行可能となっている。
【００２２】
また、各下側走行手段２０ａ，２０ｂにおいて、履帯２１の上部には支柱２２が立設されており、この支柱２２は、後記する本体部３０の右側枠材３１ｂに取り付けられている。前方の下側走行手段２０ａの支柱１２は、右側枠材３１ｂに外嵌されたスライドブラケット２３を介して、右側枠材３１ｂに取り付けられており、走行方向の前後に移設自在となっている。
【００２３】
（本体部の構成）
本体部３０は、図１及び図２に示すように、平面視で長方形の矩形枠であり、左右方向が長手方向となっている。
また、本体部３０は、法面Ｎの下端部に連続する底面Ｔ１上に配置される下側本体部３２と、法面Ｎ及び提頂面Ｔ２上に配置される上側本体部３３とに分割されている。この下側本体部３２と上側本体部３３は、上下方向に屈折して連結されており、底面Ｔ１と法面Ｎの角度に対応させて、下側本体部３２と上側本体部３３が屈折した状態となっている。
【００２４】
上側本体部３３には、法面Ｎ上に供給されたアスファルト等の舗装材を、法面Ｎの長手方向に向かって敷き均すための敷き均し手段４０が設けられている。
また、下側本体部３２には、各上側走行手段１０ａ，１０ｂ、各下側走行手段２０ａ，２０ｂ、及び敷き均し手段４０を操作するための運転スペース５０が設けられており、作業員が搭乗可能となっている。
【００２５】
（敷き均し手段の構成）
敷き均し手段４０は、図１及び図２に示すように、舗装材を法面Ｎ上に供給するための供給ホッパ４１と、法面Ｎ上に供給された舗装材を左右方向（法面Ｎの上下方向）に広げるためのスクリュ４２と、左右方向に広げられた舗装材を一定の厚みに均すためのスクリード４３と、を備えている。
【００２６】
供給ホッパ４１は、上側本体部３３の枠内に設けられており、上部開口部から投入された舗装材を下部開口部から法面Ｎ上に供給するように構成されている。
【００２７】
スクリュ４２は、上側本体部３３の後部に取り付けられており、左右方向に延長された回転軸４２ａの外周面に、傾斜板４２ｂが複数取り付けられている。そして、スクリュ４２を軸回りに回転させながら、法面Ｎ上に供給された舗装材の上を、前方に向かって通過させることにより、各傾斜板４２ｂ・・・によって、舗装材が左右方向に広げられるように構成されている。
【００２８】
スクリード４３は、スクリュ４２の後方に配置されており、上側本体部３３の後部に取り付けられている。このスクリード４３は、法面Ｎに平行した下面を有する均し板４３ａを備えている。そして、均し板４３ａの下面を法面Ｎの面上から所定間隔を離した状態で、法面Ｎ上に広げられた舗装材の上を、前方に向かって通過させることにより、舗装材が一定の厚みに均されるように構成されている。また、均し板４３ａの上方には、舗装材を均すときに、均し板４３ａに対して振動を付与するバイブレータ４３ｂが複数設けられている。
【００２９】
なお、敷き均し手段４０の供給ホッパ４１、スクリュ４２、スクリード４３は、公知の各種装置を用いることができ、その構成は限定されるものではない。
【００３０】
［法面施工装置を用いた法面の舗装方法］
次に、前記した法面施工装置１を用いた法面Ｎの舗装方法について説明する。
図４は、本実施形態の法面施工装置を用いた法面の舗装方法を示した図で、左側に湾曲している法面を舗装する態様の平面図である。図５は、本実施形態の法面施工装置を用いた法面の舗装方法を示した図で、右側に湾曲している法面を舗装する態様の平面図である。
【００３１】
まず、図１に示すように、法面Ｎの直線区間を舗装するときには、各上側走行手段１０ａ，１０ｂ及び各下側走行手段２０ａ，２０ｂを本体部３０の四隅に配置し、供給ホッパ４１に所定量の舗装材を投入する。そして、各上側走行手段１０ａ，１０ｂ及び各下側走行手段２０ａ，２０ｂを駆動させることにより、法面施工装置１を前方に向かって移動させる。
【００３２】
法面施工装置１を前方に移動させながら、供給ホッパ４１から法面Ｎ上に舗装材を供給し、スクリュ４２によって左右方向（法面Ｎの上下方向）に広げるとともに、スクリード４３によって、舗装材を一定の厚みに均す。
さらに、一定の厚みに均された舗装材を、図示しない振動ローラ等によって締め固めた後に、一定期間養生することにより、法面Ｎの直線区間の舗装を完了する。
【００３３】
また、図４に示すように、法面Ｎが長手方向の左側に湾曲している場合には、法面施工装置１を左側に旋回させながら、法面Ｎの曲面を舗装することになる。このときには、前方の上側走行手段１０ａを走行方向の後方に移設し、旋回方向の内側となる前方の上側走行手段１０ａを、旋回方向の外側となる前方の下側走行手段２０ａに対して後方にずらした状態で、法面Ｎの曲面に沿って法面施工装置１を左側に旋回させる。そして、前記した直線区間と同様に、供給ホッパ４１から法面Ｎ上に供給された舗装材を、スクリュ４２によって左右方向（法面Ｎの上下方向）に広げるとともに、スクリード４３によって一定の厚みに均すことにより、法面Ｎの曲面を舗装する。
【００３４】
さらに、図５に示すように、法面Ｎが長手方向の右側に湾曲している場合には、前方の下側走行手段２０ａを走行方向の後方に移設し、旋回方向の内側となる前方の下側走行手段２０ａを、旋回方向の外側となる前方の上側走行手段１０ａに対して後方にずらした状態で、法面Ｎの曲面に沿って法面施工装置１を右側に旋回させる。そして、供給ホッパ４１から法面Ｎ上に供給された舗装材を、スクリュ４２によって左右方向（法面Ｎの上下方向）に広げるとともに、スクリード４３によって一定の厚みに均すことにより、法面Ｎの曲面を舗装する。
【００３５】
［法面施工装置の作用効果］
以上のような法面施工装置１では、以下の作用効果を奏する。
法面施工装置１では、図１に示すように、法面Ｎの長手方向に向かって舗装材を敷き均す敷き均し手段４０を有する本体部３０を、法面Ｎの長手方向に移動させることができるため、法面Ｎを長手方向に連続して舗装することができ、施工効率を向上させることができる。
【００３６】
また、敷き均し手段４０は、法面Ｎの長手方向に向かって舗装材を敷き均すように構成されており、スクリュ４２及びスクリード４３は、法面Ｎの上下方向に幅広となり、法面Ｎの長手方向には幅狭となっている。これにより、図４及び図５に示すように、水平方向に湾曲している法面Ｎを舗装するときに、法面Ｎの曲率が小さくても、スクリュ４２やスクリード４３全体を曲面に沿わせることができるため、曲面を容易に舗装することができる。
【００３７】
また、水平方向に湾曲している法面Ｎの曲面に沿って、法面施工装置１を左右方向に旋回させるときに、前方の上側走行手段１０ａ又は前方の下側走行手段２０ａを走行方向の後方に移設して、旋回方向の内側となる前方の走行手段１０ａ（２０ａ）を、外側の前方の走行手段２０ａ（１０ａ）に対して後方にずらすことにより、法面施工装置１の最小旋回半径を小さくすることができる。これにより、法面Ｎの曲率が小さい場合であっても、法面施工装置１を曲面に沿ってスムースに旋回させることができる。
【００３８】
また、各上側走行手段１０ａ，１０ｂ及び各下側走行手段２０ａ，２０ｂに駆動手段（図示せず）をそれぞれ設けることにより、各走行手段１０ａ，１０ｂ，２０ａ，２０ｂを独立して走行させることができる。これにより、前方の上側走行手段１０ａ又は前方の下側走行手段２０ａを走行方向の後方に移設するときに、その走行手段１０ａ，２０ａを単独で走行させて移動させることができるため、走行手段１０ａ，２０ａを容易に移設することができる。
【００３９】
［他の実施形態］
以上、本発明の実施形態について説明したが、本発明は前記実施形態には限定されない。例えば、本実施形態では、図１に示すように、二基の上側走行手段１０ａ，１０ｂ及び二基の下側走行手段２０ａ，２０ｂによって、本体部３０を支持しているが、上側走行手段及び下側走行手段の台数は限定されるものではなく、一基の走行手段を本体部３０の左右側部にそれぞれ設ける構成や、二基以上の走行手段を本体部３０の左右側部にそれぞれ設ける構成など、法面施工装置１の大きさや重量を考慮して、十分な安定性を確保することができるように設定することが望ましい。
【００４０】
また、本実施形態では、図４及び図５に示すように、法面施工装置１を水平方向に旋回させるときに、前方の上側走行手段１０ａ又は前方の下側走行手段２０ａを走行方向の後方に移設しているが、前方の上側走行手段１０ａ又は前方の下側走行手段２０ａを走行方向の前方に移設することにより、旋回方向の内側となる走行手段１０ａ（２０ａ）を、外側の走行手段２０ａ（１０ａ）に対して後方にずらすこともできる。
【図面の簡単な説明】
【００４２】
【図１】本実施形態の法面施工装置を示した平面図である。
【図２】本実施形態の法面施工装置を示した後方側面図である。
【図３】本実施形態の法面施工装置を示した図で、下側走行手段の右側面図である。
【図４】本実施形態の法面施工装置を用いた法面の舗装方法を示した図で、左側に湾曲している法面を舗装する態様の平面図である。
【図５】本実施形態の法面施工装置を用いた法面の舗装方法を示した図で、右側に湾曲している法面を舗装する態様の平面図である。
【符号の説明】
【００４３】
１      法面施工装置
１０ａ  前方の上側走行手段
１０ｂ  後方の上側走行手段
１１    履帯
１２    支柱
１３    スライドブラケット
２０ａ  前方の下側走行手段
２０ｂ  後方の下側走行手段
２１    履帯
２２    支柱
２３    スライドブラケット
３０    本体部
４０    敷き均し手段
４１    供給ホッパ
４２    スクリュ
４３    スクリード
Ｎ      法面
【図１】
0004829642.tif 000002
【図２】
0004829642.tif 000003
【図３】
0004829642.tif 000004
【図４】
0004829642.tif 000005
【図５】
0004829642.tif 000006